(57)【特許請求の範囲】
【請求項１】
複数の発光素子をマトリクス状に配列した単位表示パネルを、縦横にそれぞれ複数配列して連続した表示面を形成するようにした表示装置において、前記単位パネルをＲＧＢいずれか１つの発光色の発光素子によりマトリクス状に配列し、配列した発光素子のうち少なくとも１ラインの周囲にその発光素子と発光色の異なる発光素子を追加配列してＲＧＢの表示ラインを構成し、表示面全体でＲＧＢで構成した表示ラインが等間隔でｎラインとなるようにして、マトリクス状に配列した発光素子では表示すべき文字あるいは図形を表示面全体で１ドットずつシフトさせてスクロール表示するものとし、前記ＲＧＢの表示ラインでは表示すべき文字あるいは図形を等間隔に配列されたｎラインで１ラインずつシフトさせて残像効果を利用したスクロール表示を行うものとし、これらの２種類のスクロール表示を切換えあるいは重ね合わせて行うことを特徴とする表示装置。
【発明の詳細な説明】
【０００１】
【産業上の利用分野】
本発明は複数の発光素子を配置し、各発光素子を発光させることで図形あるいは文字表示を行う表示装置に関するものである。
【０００２】
【従来の技術】
従来から知られている表示装置は、ＲＧＢからなる発光素子を１ドットするか、あるいはＲＧＢいずれか１つの発光素子を１ドットとしてマトリクス状に配列した単位表示パネルを複数連続配列して表示面を形成して、表示すべき文字あるいは図形を１ドットずつシフトさせスクロール表示を行っている。
【０００３】
また、特開平８−１７９７１７号のように多数の発光素子を直線状に配列し発光素子列を構成し、この発光素子列を一定間隔で多数配設して表示部を形成し、表示する画像あるいは表示データの各列のデータを各発光素子列に時間制御しながらそれぞれ供給して残像効果を利用したスクロール表示を行っている。
【０００４】
【発明が解決しようとする課題】
このような従来の表示装置では、ＲＧＢからなる発光素子を１ドットとしてマトリクス状に配列した単位表示パネルを使用した表示装置の場合は、表示色が豊かで映像データ等を色彩豊かに再現し注目度を高めることは可能であるが、１ドットをＲＧＢの複数の発光素子で形成しマトリクス状に配列するため、コストが掛かりすぎてしまい、文字情報を主体に表示するような場合にはコストパフォーマンスの悪いものとなっている。また、ＲＧＢいずれか１つの発光素子を１ドットとしてマトリクス状に配列した単位表示パネルを単位表示パネルを使用した表示装置の場合は、単色の表示しか行えないため色彩が乏しく注目度に欠けてしまっている。また、特開平８−１７９７１７号のような表示装置の場合は、残像効果を利用して表示内容を視認させているため、複雑に文字・図形になると視認しずらくなっていまっている。本発明では、コストを掛けずに注目度が高く、複雑に文字・図形でも視認できる表示装置を提供することを目的とする。
【０００５】
【課題を解決するための手段】
単位パネルをＲＧＢいずれか１つの発光色の発光素子によりマトリクス状に配列し、配列した発光素子のうち少なくとも１ラインの周囲にその発光素子と発光色の異なる発光素子を追加配列してＲＧＢの表示ラインを構成し、表示面全体でＲＧＢで構成した表示ラインが等間隔でｎラインとなるようにして、マトリクス状に配列した発光素子では表示すべき文字あるいは図形を表示面全体で１ドットずつシフトさせてスクロール表示するものとし、ＲＧＢの表示ラインでは表示すべき文字あるいは図形を等間隔に配列されたｎラインで１ラインずつシフトさせて残像効果を利用したスクロール表示を行うものとし、これらの２種類のスクロール表示を切換えあるいは重ね合わせて行うようにした。
【０００６】
【作用】
この発明では、単位パネルをＲＧＢいずれか１つの発光色の発光素子によりマトリクス状に配列し、配列した発光素子のうち少なくとも１ラインの周囲にその発光素子と発光色の異なる発光素子を追加配列してＲＧＢの表示ラインを構成し、表示面全体でＲＧＢで構成した表示ラインが等間隔でｎラインとなるようにして、マトリクス状に配列した発光素子では表示すべき文字あるいは図形を表示面全体で１ドットずつシフトさせてスクロール表示するものとし、ＲＧＢの表示ラインでは表示すべき文字あるいは図形を等間隔に配列されたｎラインで１ラインずつシフトさせて残像効果を利用したスクロール表示を行うものとし、これらの２種類のスクロール表示を切換えあるいは重ね合わせて行うようにしたため、表示内容によってスクロール表示を使い分け、複雑な文字・図形でも視認できると共に、１ドットをＲＧＢの発光素子で形成した表示装置より低コストで、ＲＧＢいずれか１つの発光素子を１ドットとして形成した表示装置より注目度の向上した表示装置を提供できる。
【０００７】
【実施例】
以下、図面を基に、本発明の実施例について説明する。図１は本発明の表示装置の単位パネルの説明図、図２は本発明の表示装置の第１のスクロール表示の状態の説明図、図３は本発明の表示装置の第２のスクロール表示の状態の説明図、図４は本発明の表示装置のブロック図である。
【０００８】
１は赤色発光（Ｒ）のＬＥＤ、２は青色発光（Ｂ）のＬＥＤ、３は緑色発光（Ｇ）のＬＥＤ、４はＬＥＤ１をマトリクス状に配列し、マトリクス状に配列したＬＥＤ１の１ラインの周囲にＬＥＤ２とＬＥＤ３を追加配列した単位パネルである。５は単位パネル４を縦横にそれぞれ複数配列して連続した表示面を形成した表示部で、表示部５全体でＬＥＤ１、ＬＥＤ２、ＬＥＤ３で構成した表示ラインが等間隔でｎラインとなるようにしてある。本実施例では４個の単位パネルを横配列して表示部５を形成して、ＬＥＤ１、ＬＥＤ２、ＬＥＤ３で構成した表示ラインが４ラインとなるようにしてある。６は表示部５を駆動する駆動部でマトリクス状に配列したＬＥＤ１を駆動する駆動部６（ａ）とＬＥＤ１、ＬＥＤ２、ＬＥＤ３で構成した表示ラインのＬＥＤを駆動する駆動部６（ｂ）から構成されている。７は外部光の明るさを検出する外部光検出部、８は表示部５に表示する文字あるいは図形や第１・第２のスクロール表示の表示時間等を操作する操作部、９は外部光検出部７、操作部８の入力データに基づいて駆動部６を制御する制御部である。
【０００９】
第１のスクロール表示は図２に示すように、表示面全体で１ドットずつシフトさせて行う赤色発光のスクロール表示である。このスクロール表示は主として使用される表示であると共に、複雑な文字・図形を表示する場合に使用され、表示色は単色で行われる。本実施例ではＬＥＤ１を使用して赤単色の表示としたが、ＬＥＤ２、ＬＥＤ３を使用して青単色、緑単色の表示としてもよい。
【００１０】
第２のスクロール表示は図３に示すように、ＬＥＤ１、ＬＥＤ２、ＬＥＤ３で形成した表示ラインで１ラインずつシフトさせて行う複数色のスクロール表示である。このスクロール表示は眼の残像効果を利用して視認させるもので１ラインずつのシフトを高速で行う必要がある。また、第１のスクロール表示から第２のスクロール表示に切換えあるいは第１のスクロール表示と同時に表示を行うことでより視認し易い表示が行える。
【００１１】
制御部９では、操作部８から入力されたそれぞれの表示時間に基づいて第１のスクロール表示と第２のスクロール表示を切換えあるいは重ね合わせて表示を行うと共に、外部光検出部７からの外部光の明るさによってＬＥＤ１、ＬＥＤ２、ＬＥＤ３の電圧のデューティ比を変化させＬＥＤ１、ＬＥＤ２、ＬＥＤ３の輝度調整を行っている。
【００１２】
【発明の効果】
この発明では、単位パネルをＲＧＢいずれか１つの発光色の発光素子によりマトリクス状に配列し、配列した発光素子のうち少なくとも１ラインの周囲にその発光素子と発光色の異なる発光素子を追加配列してＲＧＢの表示ラインを構成し、表示面全体でＲＧＢで構成した表示ラインが等間隔でｎラインとなるようにして、マトリクス状に配列した発光素子では表示すべき文字あるいは図形を表示面全体で１ドットずつシフトさせてスクロール表示するものとし、ＲＧＢの表示ラインでは表示すべき文字あるいは図形を等間隔に配列されたｎラインで１ラインずつシフトさせて残像効果を利用したスクロール表示を行うものとし、これらの２種類のスクロール表示を切換えあるいは重ね合わせて行うようにしたため、表示内容によってスクロール表示を使い分け、複雑な文字・図形でも視認できると共に、バリュエーション豊かな表示を行うことができる。
【００１３】
以上のように、低コストで注目度の向上した表示装置を提供できる。
【図面の簡単な説明】
【図１】本発明の表示装置の単位パネルの説明図である。
【図２】本発明の表示装置の第１のスクロール表示の状態の説明図である。
【図３】本発明の表示装置の第２のスクロール表示の状態の説明図である。
【図４】本発明の表示装置のブロック図である。
【符号の説明】
１  赤色発光のＬＥＤ（Ｒ）
２  青色発光のＬＥＤ（Ｂ）
３  緑色発光のＬＥＤ（Ｇ）
４  単位パネル
５  表示部
６  駆動部
７  外部光検出部
８  操作部
９  制御部
【図１】
0003758831.tif 000002
【図４】
0003758831.tif 000003
【図２】
0003758831.tif 000004
【図３】
0003758831.tif 000005